(57)【特許請求の範囲】
【請求項１】
パチンコ機の外枠体の前面側を片開き状に開閉する前面扉枠のヒンジ構造であって、この前面扉枠を開閉するヒンジ部材は外枠体に取付けられるヒンジ軸受け体と扉枠に取付けられるヒンジ軸支持体とからなり、
前記ヒンジ軸支持体は取付支持片に前記ヒンジ軸受け体と回動可能に枢着するヒンジ軸を有し、
前記ヒンジ軸受け体は取付基板とロック爪体とロックレバーとスライド片とトーションバネを有し、
前記取付基板には、該取付基板の支持片の前記ヒンジ軸を結合する軸線上に該ヒンジ軸の軸誘導部が設けられ、また、同軸線上の軸誘導部の終端から更に奥方向に進んだ位置には前記ロック爪体を枢着する基軸とピンを立設し、また、前記軸線と平行な軸線上にガイド孔とロックピンが設けられ、
前記スライド片には、前記基軸とピンが挿入されるスライド孔が形成され、該スライド孔によりスライド可能に設けられるとともに、同スライド片の所定の位置にはロック凹部が形成され、
前記ロックレバーには、前記ガイド孔にスライド可能に挿入される軸ピンと、前記ロックピンが移動可能に挿通され、且つガイドされるロックガイド溝と、前記ロックガイド溝が形成される本体部の一方の縁部に突設されて前記スライド片のロック凹部と係脱するロック凸部と、該本体部の他方の縁部に形成される掛合部が設けられ、
前記ロック爪体は、爪部とアーム部とから構成され、該爪部に設けられた基孔により前記基軸に枢着され、該アーム部に設けられた長孔により前記ロックレバーの前記軸ピンに移動可能に挿通され、
前記トーションバネは、一端を前記ロックレバーの前記掛合部に掛合され、他端を前記ロック爪体の前記爪部に掛合され、コイル部を該ロックレバーの軸ピンに嵌め込まれるように構成し、
前記爪部には前記ロックレバーの作動で前記支持片の軸誘導部と交差するように前記ヒンジ軸と係脱するロック係合凹部を設け、前記トーションバネの復元力により前記ロック爪体は前記基軸を中心として時計方向へ回動されるとともに、前記ロックレバーは前記軸ピンを中心として反時計方向へ回動されて、該ヒンジ軸は該軸誘導部と前記ロック係合凹部により交差するように回動可能に係合保持される構成としたことを特徴とするパチンコ機の前面扉枠のヒンジ構造。
【発明の詳細な説明】
【０００１】
【発明の属する技術分野】
この発明は、パチンコ機の外枠体の前面側を開閉可能に取付けられるパチンコ機の外枠体に前面扉枠を開閉可能に取付けるヒンジ構造に関する。
【０００２】
【従来の技術】
従来、パチンコ機の枠体構造は例えば図１２に示すように略方形状に枠組みされた外枠体１と、この外枠体１の一側の上下に対をなすヒンジ部材３、６を介して遊技盤及び各種構成機構を装着配設した中枠体２が外枠体１の前面を片開き状に開閉可能に取付けられる。また、この中枠体２の前面側には遊技盤の前面側を覆うガラス枠（図示せず）が中枠体２の一側に対し、上下に対をなすヒンジ部材（図示せず）を介して片開き状に開閉可能に取付けられている。
【０００３】
この外枠体１と内枠体２を枢着連繋する上部ヒンジ部材３は、図１２に示すように外枠体１の上枠１ａ、及び縦枠１ｂの外角部に取付けられるヒンジ軸受け体４と、内枠体２の上枠２ａと縦枠２ｂの外角部に取付けられるヒンジ軸支持体５とからなり、このヒンジ軸受け体４の外枠体１の外角剖３に沿って取付けられる取付片４ａには所定の長さで前面側へ段差状に張出すヒンジ孔４ｃを有する支持片４ｂが一体に形成され、また、ヒンジ軸支持体５の中枠体２の外角部に取付られる取付片５ａには所定の長さで張出す支持片５ｂの先端側下面にヒンジ軸受け体４のヒンジ孔４ｃに回転可能に挿通されるヒンジ軸５ｃが形成されている。
【０００４】
また、下部ヒンジ部材６は外枠体１の縦枠１ｂと下枠１ｃとの内角部に取付けられるヒンジ軸支持体７と、中枠体２の縦枠２ｂと下枠２ｃの外角部に取付けられるヒンジ軸受け体８とからなり、このヒンジ軸支持体７の取付片７ａには上部側のヒンジ軸受け体４の支持片４ｂと対応して張出す支持片７ｂが形成されるとともに、同支持片７ｂには上部側の支持片４ｂに貫設したヒンジ孔４ｃと対応するヒンジ軸７ｃが形成されている。また、ヒンジ軸受け体８の取付片８ａには上部側のヒンジ軸支持体５の支持片５ｂと対応して張出す支持片８ｂが形成され、同支持片８ｂには上部側の支持片４ｂに形成して下向きのヒンジ軸５ｂと対応してヒンジ孔８ｃが貫設されている。
【０００５】
このように外枠体１の上下の角部に取付けたヒンジ軸受け体４及びヒンジ軸支持体７に対し、中枠体２の上下に取付けたヒンジ軸支持体５及びヒンジ軸受け体８を介して取り付けるのに、図示のようにヒンジ孔４ｃ、８ｃにヒンジ軸５ｃ、７ｃが相通するようにヒンジ合わせして取り付けられている。
【０００６】
【発明が解決しようとする課題】
このヒンジ合せは、この中枠体２を持ち上げた状態で上下のヒンジ軸５ｃ、７ｃとヒンジ孔４ｃ、８ｃをほぼ同時にヒンジ合せする必要があるし、中枠体２には遊技盤及び各種構成機構が装着されているので重いものとなっている。このため、ヒンジ位置を合わせて外枠体１に中枠体２を組みつける作業は、手作業では困難であった。本発明は、上記従来の問題点を解決するためになされたもので、前面扉枠を容易に組付けることができ作業性を向上することのできるパチンコ機の外枠体に前面扉枠を開閉可能に取付けるヒンジ構造を提供することを目的とするものである。
【０００７】
【課題を解決するための手段】
本第１発明のパチンコ機の前面扉枠のヒンジ構造は、パチンコ機の外枠体の前面側を片開き状に開閉する前面扉枠のヒンジ構造であって、この前面扉枠を開閉するヒンジ部材は外枠体に取付けられるヒンジ軸受け体と扉枠に取付けられるヒンジ軸支持体とからなり、前記ヒンジ軸支持体は取付支持片に前記ヒンジ軸受け体と回動可能に枢着するヒンジ軸を有し、前記ヒンジ軸受け体は取付基板とロック爪体とロックレバーとスライド片とトーションバネを有し、前記取付基板には、該取付基板の支持片の前記ヒンジ軸を結合する軸線上に該ヒンジ軸の軸誘導部が設けられ、また、同軸線上の軸誘導部の終端から更に奥方向に進んだ位置には前記ロック爪体を枢着する基軸とピンを立設し、また、前記軸線と平行な軸線上にガイド孔とロックピンが設けられ、前記スライド片には、前記基軸とピンが挿入されるスライド孔が形成され、該スライド孔によりスライド可能に設けられるとともに、同スライド片の所定の位置にはロック凹部が形成され、前記ロックレバーには、前記ガイド孔にスライド可能に挿入される軸ピンと、前記ロックピンが移動可能に挿通され、且つガイドされるロックガイド溝と、前記ロックガイド溝が形成される本体部の一方の縁部に突設されて前記スライド片のロック凹部と係脱するロック凸部と、該本体部の他方の縁部に形成される掛合部が設けられ、前記ロック爪体は、爪部とアーム部とから構成され、該爪部に設けられた基孔により前記基軸に枢着され、該アーム部に設けられた長孔により前記ロックレバーの前記軸ピンに移動可能に挿通され、前記トーションバネは、一端を前記ロックレバーの前記掛合部に掛合され、他端を前記ロック爪体の前記爪部に掛合され、コイル部を該ロックレバーの軸ピンに嵌め込まれるように構成し、前記爪部には前記ロックレバーの作動で前記支持片の軸誘導部と交差するように前記ヒンジ軸と係脱するロック係合凹部を設け、前記トーションバネの復元力により前記ロック爪体は前記基軸を中心として時計方向へ回動されるとともに、前記ロックレバーは前記軸ピンを中心として反時計方向へ回動されて、該ヒンジ軸は該軸誘導部と前記ロック係合凹部により交差するように回動可能に係合保持される構成としたことを特徴とする。
【０００８】
【発明の実施の形態】
（第１の実施形態）
次に、本発明の第１の実施形態を図１乃至図５に従って説明する。なお、実施形態において外枠体１と中枠体２の下部側は、従来のヒンジ部材６と同様であるため説明を省略し、外枠体１に対する中枠体２の上部側のヒンジ部材１１について説明する。このヒンジ部材１１は図１に示すように外枠体１の上部角部に取付けられるヒンジ軸受け体１６と、中枠体２の上部角部に取付けられるヒンジ軸支持体１２とより構成されている。
【０００９】
この中枠体２に取付けられるヒンジ軸支持体１２は従来からのヒンジ軸支持体とほぼ同様であり、取付片１３には所定の長さの支持片１４が延出形成され、この支持片１４の所定の位置には下方向きにヒンジ軸１５が取付けられている。このヒンジ軸１５は棒状であるが、その下方先端側は図１に示すように、先端に向けて細くなるようなテーパを設けている。
【００１０】
また、外枠体１に取付けられるヒンジ軸受け体１６は、取付基板１７とロックレバー２５とスライド片３５及びロック爪体４０とカバー体４９とより構成されている。この取付基板１７は外枠体１の外側角部に沿って取付けられる取付部１８と、この取付部１８の上片１８ａより前面側へ所定の幅で水平に延出され、中枠体２の回動を許容する円弧状縁１９ａを有する支持片１９とが一体に形成されている。また、この支持片１９の側縁１９ｂより所定の寸法を隔てた平行な軸線Ｃ１上の同支持片１９の先端側にはヒンジ軸支持体１２のヒンジ軸１５を嵌め込み可能とする所定長さの軸誘導部２０が軸線Ｃ１に沿って開設されている。また、この軸線Ｃ１上で軸誘導部２０の基端２０ａより所定の位置ｈ１には段付きの基軸２１が立設され、更に、この基軸２１より所定の位置ｈ２にはピン２２が立設され、このピン２２の上端にはトーションバネ４８を掛合する凹部２２ａが凹設されている。
【００１１】
また、軸線Ｃ１より所定の位置ｈ３の軸線Ｃ１に平行な軸線Ｃ２上には、基軸２１の中心と対応する位置に端部２３ａを有する所定の長さ１１のガイド孔２３が貫設される。また、このガイド孔２３の端部２３ｂより所定の位置ｈ４には段付き状のロックピン２４が立設されている。
【００１２】
また、ロックレバー２５は軸線Ｃ２、すなわちガイド孔２３に沿っで操作されるもので、この軸線Ｃ２に沿う本体部２６とレバー部２７とが細長状の長方形状に形成され、本体部２６の先端側の軸線Ｃ２上の所定位置には軸ピン２８が立設されるとともに、この軸ピン２８の取付位置の反対側には取付基板１７のガイド孔２３に案内される凸部２８ａが突設されている。また、図４に示すように軸線Ｃ２上の軸ピン２８より所定の位置（＝ｈ４）に端部３０ａを有するロックガイド溝２９が形成されている。
【００１３】
このロックガイド溝２９は取付基板１７のロックピン２４に挿通されるもので、軸線Ｃ２に沿って端部３０ａより所定の長さ１１のガイド溝３０が形成され、このガイド溝３０の端部３０ａには軸ピン２８を中心として円弧状のロック解除溝３１が連続して形成され、また、ガイド溝３０の他端の端部３０ｂには軸ピン２８を中心として円弧状のロック溝３２が連続して形成されている。また、本体部２６の一方の縁部の軸ピン２８を中心とする所定の半径位置にはロック凸部３３が突設され、その反対側の縁部の所定の位置にはトーションばね４７の掛合部３４が形成されている。
【００１４】
また、スライド片３５は軸線Ｃ１に沿って作動されるもので、所定の長さを有する略長方形状に形成され、その端面３５ａから所定の位置ｈ５には軸線Ｃ１に沿って基軸２１及びピン２２を挿通する所定の長さ１２のスライド孔３６が形成されている（図３参照）。また、このスライド孔３６の端部３６ｂより所定の位置には頭部を有するトーションバネ４８のばね作動ピン３７が立設されている。また、スライド片３５の縁部３５ａの所定の位置にはロックレバー２５のロック凸部３３と係脱するロック凹部３８が凹設されている。
【００１５】
また、ロック爪体４０は図示のように幅広の爪部４１とアーム部４２とが略直角状に形成され、この直角角部の所定の位置には基軸２１に挿通される基孔４３が貫設されている。また、この基孔４３より所定の距離ｈ１には側部に開口するロック係合凹部４４が凹設されてロック爪４５が形成されている。また、この基孔４３よりアーム部４２側にはロックレバー２５の軸ピン２８を挿通する長孔４６が貫設されている。
【００１６】
このように形成されたヒンジ軸受け体１６の取付基板１７の基軸２１とピン２２にはスライド片３５がそのスライド孔３６を介して取付けられ、また、ガイド孔２３にはロックレバー２５の軸ピン２８の凸部２８ａか嵌め込まれるとともに、ロックレバー２５のロックガイド溝２９にはロックピン２４が挿通されている。また、スライド片３５のスライド孔３６に挿通した基軸２１にはロック爪体４０の基孔４３が嵌め込まれるとともに、同長孔４６はロックレバー２５の軸ピン２８に嵌め込まれている。
【００１７】
このように嵌め込み連繋されたロックレバー２５の軸ピン２８にはトーションバネ４７のコイル部が嵌め込まれ、その一方のアーム片４７ａはロックレバー２５の掛合部３４に掛合され、他方のアーム片４７ｂはロック爪体４０の爪部４１に掛合されている。また、ロックレバー２５のロックガイド溝２９に挿通されたロックピン２４にはトーションバネ４８のコイル部が嵌め込まれ、その一方のアーム片４８ａはスライド片３５のバネ作動ピン３７に掛合され、他方のアーム片４８ｂはピン２２の凹部２２ａに掛合されている。このようにロックレバー２５、スライド片３５及びロック爪体４０を取付けた取付基板１７にはカバー体４９が冠状に取付けられている。
【００１８】
このカバー体４９は取付基板１７に取付けられたロックレバー２５、スライド片３５及びロック爪体４０を遮蔽可能とする下方開放の蓋形状に形成され、その上板４９ａには軸誘導部２０とほぼ整合する凹溝４９ｂが形成され、また、この凹溝４９ａに近接して基軸２１のかしめ孔４９ｃが貫設されている。また、同上板４９ａには取付基板１７のガイド孔２３と整合してロックピン２４をガイドするガイド長孔４９ｄが貫設され、また、ロックピン２４のかしめ孔４９ｅが貫設されている。
【００１９】
このように形成されたヒンジ軸受け体１６を取付けた外枠体１に対し、中枠体２を取付けるためには、図２に示すようにロックレバー２５を取付基板１７のガイド孔２３に沿って引出し操作してロックガイド溝２９のロック解除溝３１をロックピン２５に嵌め込む。これにより、同ロックレバー２５の軸ピン２８に長孔４６を介して連繋されたロック爪体４０は基軸２１を中心として図示反時計方向へ回動され、ロック係合凹部４４は軸線Ｃ１より退避されるとともに、このロックレバー２５の操作により同レバー２５に形成したロック凸部３３はスライド片３５に摺接し、スライド片３５を後端より軸線Ｃ１に沿って嵌め込み構２０側へ押送する。そして、その端面３５ａは軸誘導部２０の開口端側に位置され、トーションバネ４８は図示のように鋭角状に弾性変形され、また、トーションバネ４７も逆反り状に弾性変形されている。
【００２０】
この状態で、外枠体１の下部側のヒンジ軸受け体７のヒンジ孔７ｃに対し中枠体２の下部側のヒンジ軸支持体８のヒンジ軸８ｃを挿通する。そして、中枠体２の上部に取付けたヒンジ軸支持体１２のヒンジ軸１５を図３に示すようにヒンジ軸受け体１６の軸誘導部２０に挿入する。これにより、スライド片３５は軸線Ｃ１に沿って後退される。この後退により同後端部に当接されていたロックレバー２５のロック凸部３３はスライド片３５に摺接されることで、ロックレバー２５は軸ピン２８（凸部２８ａ）を中心として時計方向へ回動されてロック凸部３３はスライド片３５より外れるとともに、トーションバネ４８が弾性復元される。
【００２１】
これにより図３に示すように、ロックピン２４はロック解除溝３１よりロックガイド溝２９の端部３０ａに位置されることで、トーションバネ４７の復元力によりロック爪体４０は基軸２１を中心として時計方向へ回動される。このロック爪体４０の回動により軸誘導部２０に挿入されたヒンジ軸１５は同爪体４０のロック係合凹部４４に係合されるとともに、ロックレバー２５はガイド孔２３に沿って図示左側に移動され、ロックピン２４はロックガイド溝２９の端部３０ｂ（ロック溝３２側）に位置され、また、ロック凸部３３はスライド片３５のロック凹部３８と対設される（図４参照）。そして、更に、トーションバネ４７の復元力によりロックレバー２５は軸ピン２８を中心として反時計方向へ回動されてロック凸部３３はロック凹部３８に嵌め込まれるとともに、ロックピン２４にロック溝３２が係合され、ヒンジ軸支持体１２のヒンジ軸１５は取付基板１７の嵌め込み構２０とロック爪体４０のロック係合凹部４４により交差するように回動可能に係合保持されている（図５参照）。
【００２２】
また、中枠体２を取外す場合はロックレバー２５を上記とは逆方向に操作することで、ヒンジ軸１５に対するロック爪体４０の係合を解くことができて取外すことができる。
【００２３】
このように外枠体１に対し中枠体２の取付けは、下部側のヒンジ部材６は従来と同様のヒンジ軸受け体７とヒンジ軸支持体８を取付け、上部側は外枠体１にヒンジ軸受け体１６と中枠体２に取付けるヒンジ軸支持体１２とからなるヒンジ部材１１を取付ける構成としたものであるから、中枠体２の下部側のヒンジ軸８ｃを外枠体１の下部側のヒンジ軸受け体７のヒンジ孔７ｃに挿入支持した状態で、同中枠体２の上部側のヒンジ軸支持体１２のヒンジ軸１５を、上記のように、ヒンジ軸受け体１６のロックレバー２５を操作してロックピン２４にロック解除溝３１を係合した状態で、同軸誘導部２０へ挿入して、嵌め込み凹部に位置したスライド片３５を押送することで、同スライド片３５を介して、ロックレバー２５を連繋作動してトーションバネ４７、４８の弾性復元力によりロック爪体４０をワンタッチ作動してヒンジ軸１５にロック係合するものである。
【００２４】
従って、外枠体１に対する中枠体２の着脱を容易に、かつ迅速に行うことができる。また、作業者の疲労を軽減することができ、作業能率を向上することができる。
【００２５】
また、ヒンジ軸１５にロック爪体４０が係合した状態で、このロック爪体４０に連繋したロックレバー２５のロックガイド溝２９のロック溝３２にロックピン２４が係合されるとともに、同ロックレバー２５のロック凸部３３はスライド片３５のロック凹部３８に係合されているので、ヒンジ軸１５に対するロック爪体４０の係合は確実となり、中枠体２の開閉動作を安定して維持することができる。
【００２６】
また、このヒンジ軸受け体１６のロックレバー２５、スライド片３５及びロック爪体４０はカバー体４９により被冠する構成であるから、ヒンジ部材１１に対する不正行為を防止することができる。
【００２７】
（第２の実施形態）
次に、本発明の第２の実施形態を図６及び図７（ａ）（ｂ）（ｃ）にしたがって説明する。なお、この第２実施形態の下部ヒンジ部材６は従来と同様で、上部ヒンジ部材５１は外枠体１に取付けられるヒンジ軸支持体５２と中枠体２に取付けられるヒンジ軸受け体５６とより構成されている。このヒンジ軸支持体５２は略Ｌ形状の取付片５３と支持片５４とが一体に形成され、支持片５４の所定の位置にはヒンジ軸５５が下向きに取付けられている。このヒンジ軸１５は棒状であり、下方先端側は先端に向けて細くなるようなテーパを設けている。
【００２８】
また、中枠体２の上部に取付けられるヒンジ軸受け体５６は、取付基板５７とロック爪体６５とトーションバネ７５とより構成されている。この取付基板５７は中枠体２の外側角部に沿って取付けられる取付部５８と、この取付部５８の上片５８ａより外枠体１側へ張出す支持片５９が一体に形成され、この支持片５９は上片５８ａより幅広に形成されている。また、この支持片５９の縁部５９ａより所定の距離を隔てた平行な軸線Ｃ３上には同支持片５９の前端に開口するヒンジ軸５５の軸誘導部６０が形成され、この軸誘導部６０の基端６０ａより所定の距離ｈ５の位置には基軸７６を取付ける取付孔６１が貫設されている。
【００２９】
また、この取付孔６１より所定の角度位置の上片５８ａの所定の位置にはトーションバネ７５のばね軸７７を取付ける取付孔６２が貫設されている。また、支持片５９の取付部５８の側板５８ｂ側は所定の幅で所定の長さの切欠部６３が形成され、切欠部６３の端部には規制片６４が形成されている。また、この切欠部６３は側板５８ｂの上部側でも所定の寸法で切欠部６３ａが形成されている。
【００３０】
また、ロック爪体６５は爪部６６とアーム部６７とが略鉤形状に形成され、この爪部６６とアーム部６７との基部の所定の位置には基軸７６に枢着する基孔６８が貫設され、この基孔６８より所定の半径ｒ１の位置にはロック係合凹部６９が凹設されるとともに、端部側には所定の角度で傾斜するガイド面７１を有ずるロック爪７０が形成されている。また、アーム片６７の端部側の所定の位置には凹部７２が形成されるとともに、同凹部７２にはトーションバネ７５のアーム片７５ｂを掛合する掛合片７３が形成されている。
【００３１】
また、トーションバネ７５は基軸７６に取付けられるコイル部７５ａより掛合片７３に掛合される一方のアーム片７５ｂが延出され、また、同コイル部７５ａよりバネ軸７７に掛合する他方のアーム片７５ｃがアーム片７５ｂと所定の角度で交差状に延出形成されている。また、基軸７６はトーションバネ７５のコイル部７５ａを取付けるコイル段部７６ａとロック爪体６５を取付ける爪体段部７６ｂとかしめ部７６ｃが段差状に形成されている。また、ばね軸７７はアーム片７５ｃを掛合する掛合部７７ａとかしめ部７７ｂとが段差状に形成されている。
【００３２】
このように形成された取付基板５７に対し、基軸７６にはトーションバネ７５のコイル部７５ａとロック爪体６５の基孔６８が挿通されてかしめ部７６ｃを介して取付孔６１にかしめ固定され、また、バネ軸７７はかしめ部７７ｂを介して取付孔６２にかしめ固定される。そして、トーションバネ７５のアーム片７５ｂはロック爪体６５の掛合片７３に掛合され、また、アーム片７５ｃはばね軸７７に掛け止めされている。この状態で図７（ａ）に示すようにロック爪体６５はトーションバネ７５の付勢力によりそのアーム部６７の先端側が取付基板５７の規制片６４に当接された状態で、ロック係合凹部６９は軸誘導部６０に交差するように位置し、ロック爪７０のガイド面７１は軸誘導部６０の開口端を閉止状に位置されている。
【００３３】
このように設けられたヒンジ軸受け体５６を取付けた中枠体２は、下部側のヒンジ部材６は従来と同様のヒンジ軸受け体７とヒンジ軸支持体８を取付けた状態でヒンジ軸受け体５６の軸誘導部６０を外枠体１のヒンジ軸支持体５２のヒンジ軸５５に向けて押込むと、ヒンジ軸５５は軸誘導部６０とガイド面７１との間に割り込むように入ることで、ロック爪体６５はガイド面７１にガイドされて基軸７６を中心として時計方向へ回動されていき（図７（ｃ）参照）、ロック爪７０の先端がヒンジ軸５５を通過するとロック爪体６５はトーションバネ７５の復元力により元の嵌め込み構６０の位置に復元されて、ヒンジ軸５５は取付基板５７の軸誘導部６０とロック爪体６５のロック係合凹部６９により交差するように回動可能に係合保持されている。
【００３４】
また、取外しはロック爪体６５のアーム部６７を操作することで容易の取り外すことができる。したがって、この第２実施形態のヒンジ部材５１もワンタッチで着脱することができ、第１実施形態とほぼ同等の作用効果を奏する。更に、ロックレバー２５のロック凸部３３がスライド片３５のロック凹部３８に係合されている状態でも、ロック係合凹部４４が上下に開放されているので、ヒンジ軸１５をロック係合凹部４４の上方から挿入し、ロック係合をすることができる。このため、第１実施形態と同様の作用効果を奏する。
【００３５】
（第３の実施形態）
次に、本発明の第３の実施形態を図８及び図９（ａ）（ｂ）（ｃ）にしたがって説明する。なお、この第３実施形態の下部のヒンジ部材６は従来と同様で、上部のヒンジ部材８１は外枠体１に取付けられるヒンジ軸支持体８２と中枠体２に取付けられるヒンジ軸受け体８６とより構成されている。このヒンジ軸支持体８２は第２実施形態のヒンジ軸支持体５２と同様に略Ｌ形状の取付片８３と支持片８４とが一体に形成され、支持片８４の所定の位置にはヒンジ軸８５が下向きに取付けられている。このヒンジ軸１５は棒状であり、下方先端側は先端に向けて細くなるようなテーパを設けている。
【００３６】
また、中枠体２の上部に取付けられるヒンジ軸受け体８６は取付基板８７とロック爪体９４と引張りばね１０４とより構成されている。この取付基板８７は上第２実施形態の取付基板５７とほぼ同形状に形成されており、中枠体２の外側角部に沿って取付けられる取付部８８と、この取付部８８の上片８８ａより外枠体１側へ張出す支持片８９が一体に形成され、この支持片８９は上片８８ａより幅広に形成されている。また、この支持片８９の縁部８９ａより所定の距離を隔てた平行な軸線Ｃ４上には同支持片８９の前端に開口するヒンジ軸８５の軸誘導部９０が形成され、この軸誘導部９０の基端９０ａより所定の距離ｈ６の位置に軸線Ｃ４と直交する軸線Ｃ５上の軸線Ｃ４に近接した位置にはばね軸１０３を取付ける取付孔９１が貫設され、この軸線Ｃ５と所定の距離ｈ７の位置に平行な軸線Ｃ６上の軸線Ｃ４より距離ｈ８、ｈ９の位置にはガイドピン１０１、１０２の取付孔９２ａ、９２ｂが貫設されている。
【００３７】
また、支持片８９の取付部８８の側片８８ｂ側は、第２実施形態の取付基板５７とほぼ同様に所定の幅ｈで所定の長さ１の切欠部９３が形成され、また、この切欠部９３は側片８８ｂの上部側においても所定の寸法で切欠部９３ａが形成されている。
【００３８】
また、ロック爪体９４は支持片８９の下面側に納め可能とする略方形状に形成され、このロック爪体９４の側縁９４ａ側には軸線Ｃ６にそって所定の長さ（＝ｈ９）のガイド孔９５が貫設されている。また、このガイド孔９５の軸線Ｃ６と平行な軸線Ｃ５上の側縁９４ｂ側には引張りバネ１０４の掛合片９６が形成されている。また、この軸線Ｃ５上にはバネ軸１０３の取付孔９１を基端として側縁９４ｃに開口するガイド構９７が形成されている。また、このガイド溝９７の軸線Ｃ５より所定の距離（＝ｈ６）で軸線Ｃ４と直交する軸線上には軸誘導部９０の基端９０ａを基端として縁部９４ｃに開口するロック係合凹部９８が凹設されるとともに、端部側には所定の角度で傾斜するガイド面１００を有するロック爪９９が形成されている。
【００３９】
このように形成されたロック爪体９４のガイド溝９７にはガイドピン１０１、１０２が挿通されて同ガイドピン１０１、１０２はそれぞれ取付孔８８ａ、８８ｂにかしめ止めされ、また、ガイド溝９７にはばね軸１０３が挿通されて取付孔９１にかしめ止めされるとともに、このバネ軸１０３と掛合片９６には所定のばね圧を有する引張りばね１０４が掛着されて、ロック爪体９４は常時支持片８９の下面側に位置するように付勢され、この付勢状態でロック爪９９のガイド面１００は軸誘導部９０の開口端を閉止するように位置され、また、同ロック爪体９４はガイド孔９５及びガイド溝９７を介してガイドピン１０１、１０２及びバネ軸１０３に沿って切欠部９３側に出没可能にスライドするように設けられている。
【００４０】
このように設けられたヒンジ軸受け体８６を取付けた中枠体２は、下部側のヒンジ部材６は従来と同様のヒンジ軸受け体７とヒンジ軸支持体８を取付けた状態でヒンジ軸受け体８６の軸誘導部９０を外枠体１のヒンジ軸支持体８２のヒンジ軸８５に向けて押込むと、ヒンジ軸８５は軸誘導部９０とガイド面１００との間に割り込み状に入ることで、ロック爪体９４はガイド面７１にガイドされるとともに、ガイド孔９５及びガイド溝９７を介してガイドピン１０１、１０２及びばね軸１０３に沿って切欠部９３側にスライドされ、ロック爪９９の先端がヒンジ軸５５を通過するとロック爪体９４は引張りバネ１０４の復元力により元の軸誘導部９０の位置に復元されて、ヒンジ軸５５は取付基板８７の軸誘導部９０とロック爪体９４のロック係合凹部９８により交差するように回動可能に係合保持される。
【００４１】
また、取外しはロック爪体９４を操作することで容易に取り外すことができる。したがって、この第３実施形態のヒンジ部材８１もワンタッチで着脱することができ、第１実施形態とほぼ同等の作用効果を奏する。
【００４２】
なお、上記各実施形態においては上部のヒンジ部材１１、５１、８１を掛け止め枢着するクラッチ形式のもので例示したが、下部側のヒンジ部材側も同様に構成してもよく、例えば、図１０及び図１１は上記第３実施形態のヒンジ部材８１のヒンジ軸受け体８６の変更例として上部ヒンジ軸受け体１１１及び下部ヒンジ軸受け体１１９に構成したものである。
【００４３】
なお、ヒンジ軸受け体１１１、１１９はその取付基板１１３、１２１が異なるもので、その他のロック爪体９４及びガイドピン１０１、１０２及びばね軸１０３と引張りバネ１０４は同時構成のものが採用されているので同符号を付して説明する。
【００４４】
図１０に示すヒンジ軸受け体１１１は、例えば中枠体２の上部側の角部に取付けられるもので、取付基板１１２は上記取付部材８７と同様に、取付部１１３と支持片１１４とからなり、この取付部１１３は上片１１３ａとこの上片１１３ａの縁部には下方に垂下する側片１１３ｂとにより略Ｌ形状に形成され、また、支持片１１４は上片１１３ａより幅広に形成されている。また、この支持片１１４の縁部１１４ａより所定の距離の平行な軸線Ｃ４上には同支持片１１４の前端に開口する軸誘導部１１５が形成されている。この支持片１１４には上記取付部材８７と同様に軸線Ｃ４に直交する軸線Ｃ５、Ｃ６には、ばね軸１０３の取付孔１１６及びガイドピン１０１、１０２の取付孔１１７ａ、１１７ｂが貫設されている。また、軸誘導部１１５の開口端より縁部１１４ａ側に沿って図示のように所定高さの隔壁１１８ａが立設され、また、軸誘導部１１５の開口端より支持片１１４の前端縁に沿って隔壁１１８ｂが形成されている。
【００４５】
このように形成された取付基板１１２の支持片１１４の上面側には図示のようにロック爪体９４がガイドピン１０１、１０２及びばね軸１０３と引張りばね１０４を介して取付けられて、上部側のヒンジ軸受け体１１１が形成され、同ロック爪体９４は隔壁１１８ａ、１１８ｂにより外方と遮断されている。
【００４６】
また、図１１は中枠体２の下部側に取付けられるヒンジ軸受け体１１９を示すもので、取付基板１２０は上記取付部材１１２と同様に、取付部１２１と支持片１２２とからなり、この取付部１２１は下片１２１ａとこの下片１２１ａの縁部には上方に立設する側片１２１ｂとにより略Ｌ形状に形成され、また、支持片１２２は下片１２１ａより幅広に形成されている。また、この支持片１２２の縁部１２２ａより所定の距離の平行な軸線Ｃ４上には同支持片１２２の前端に開口する軸誘導部１２３が形成されている。この支持片１２２には上記取付部材１１２と同様に軸線Ｃ４に直交する軸線Ｃ５、Ｃ６にはバネ軸１０３の取付孔１２４及びガイドピン１０１、１０２の取付孔１２５ａ、１２５ｂか貫設されている。また、軸誘導部１２３の開口端より縁部１２２ａ側に沿って図示のように所定高さの隔壁１２６ａが立設され、また、軸誘導部１２３の開口端より支持片１２２の前端縁に沿って隔壁１２６ｂが形成されている。
【００４７】
このように形成された取付基板１２０の支持片１２２の下面在側には図示のようにロック爪体９４がガイドピン１０１、１０２及びばね軸１０３と引張りばね１０４を介して取付けられて、下部側のヒンジ軸受け体１１９が形成され、同ロック爪体９４は隔壁１１８ａ、１１８ｂにより外方と遮断されている。
【００４８】
このように設けられた上部側のヒンジ軸受け体１１１は中枠体２の上部角部に取付けられ、これに対応して下部側のヒンジ軸受け体１１９が中枠体２の下部角部に取付けられる。この取付けた状態で、例えば外枠体１の上部角部に取付けたヒンジ軸支持体８２及び下部角部に取付けたヒンジ軸支持体７のヒンジ軸８５、７ｃに対し、ヒンジ軸受け体１１１、１１９の軸誘導部１１５、１２３を添設して押込むことで上下のロック爪体９４はロック爪９９のガイド面１１０を介してスライド移動されてヒンジ軸８５、７ｃがロック爪９９を通過することで、ヒンジ軸８５、７ｃはロック爪体９４の弾性復元により軸誘導部１１５、１２３とロック係合凹部９８が交差することで回動可能に係合保持される。
【００４９】
このように中枠体２の上下にヒンジ軸受け体１１１、１１９を設けることにより、遊技盤及び各種構成機構を装備した重量のある中枠体２をワンタッチで外枠体１に組付けることができて作業能率を向上できるとともに、隔壁１２６ａ、１２６ｂを設けることでヒンジ部材に対する不正行為を防止することができる。
【００５０】
なお、上記においては第３実施形態のヒンジ軸受け体８６の変更例として例示したものであるが、第２実施形態のヒンジ軸受け体５６においても上下の形態の構成とすることができ、また、第１実施形態のヒンジ軸受け体１６においても反り取付基板１７の取付部１８の取付構成を変更することで上下の形態の構成をとるように対処し得るものである。また、上記各実施形態では外枠体１と中枠体２とのヒンジ部材として例示したものであるが、これに限定するものではなく、例えば中枠体２とガラス枠とに附設する構成であってもよい。
【００５１】
【発明の効果】
本発明のパチンコ機の外枠体に前面扉枠を開閉可能に取付けるヒンジ構造によれば、外枠体に対する中枠体２の着脱を容易に、かつ迅速に行うことができる。また、作業者の疲労を軽減することができ、作業能率を向上することができる。
【図面の簡単な説明】
【図１】本発明の第１実施形態のヒンジ部材の分解斜視図である。
【図２】ヒンジ軸受け体の初期状態の平面図である。
【図３】ヒンジミメールの嵌め込み構にヒンジ軸を挿入した状態の動作説明図である。
【図４】同じく嵌め込み構にヒンジ軸を挿入した状態の動作説明図である。
【図５】同じく軸誘導部にヒンジ軸を挿入しだ状態の動作説明図である。
【図６】本発明の第２実施形態のヒンジ部材の分解斜視図である。
【図７】（ａ）（ｂ）（ｃ）図６の作用説明図である。
【図８】本発明の第３実施形態のヒンジ部材の分解斜視図である。
【図９】（ａ）（ｂ）（ｃ）図８の作用説明図である。
【図１０】第３実施形態の変更例を示す上部ヒンジ軸受け体の分解斜視図である。
【図１１】第３実施形態の変更例を示す４下部ヒンジ軸受け体の分解斜視図である。
【図１２】従来のシンジ部材を説明する斜視図である。
【符号の説明】
１；外枠体、２；中枠体、１１、５１、８１；ヒンジ部材、１２、５２、８２；ヒンジ軸支持体、１５、５５、８５；ヒンジ軸、１６、５６、８６、１１１、１１９；ヒンジ軸受け体、１７、５７、８７、１１２、１２０；取付基板、２０、６０、９０、１１５、１２３；軸誘導部、２１、７６；基軸、２２；ピン、２３；ガイド孔、２４；ロックピン、２５；ロックレバー、２８；軸ピン、２９；ロックガイド溝、３１；ロック解除溝、３２；ロック溝、３３；ロック凸部、３５；スライド片、３７；スライド孔、３８；ロック凹部、４０、６５、９４；ロック爪体、４１；爪部、４２；アーム部、４４、６９、９８；ロック係合凹部、４６；長孔、１０１、１０２；ガイドピン。
【図１】
0004014734.tif 000002
【図２】
0004014734.tif 000003
【図３】
0004014734.tif 000004
【図４】
0004014734.tif 000005
【図５】
0004014734.tif 000006
【図６】
0004014734.tif 000007
【図７】
0004014734.tif 000008
【図８】
0004014734.tif 000009
【図９】
0004014734.tif 000010
【図１０】
0004014734.tif 000011
【図１１】
0004014734.tif 000012
【図１２】
0004014734.tif 000013